(57)【特許請求の範囲】
【請求項１】
フィルタであって、少なくとも２つのケーシング部分（２）から成っているケーシング（１）と、このケーシング（１）内に固定されているフィルタエレメント（３）とを有しており、少なくとも１つの係止手段（４）が設けられていて、この係止手段（４）を用いて、フィルタエレメント（３）と少なくとも１つのケーシング部分（２）との間に解除可能な係止結合部（５）が形成可能である形式のものにおいて、
係止結合部（５）が少なくとも１つの係止手段（４）と、この係止手段（４）に対応する切欠き（６）とから成っていて、これによって係止手段（４）がバヨネット状に係止されており、切欠き（６）が以下の領域：すなわち、
−ケーシング部分（２）の螺合中に係止手段（４）を収容するための閉鎖領域（７）と、
−ケーシング（１）の開放中に係止手段（４）を収容するための戻り抑え領域（１０）と、
−係止手段（４）を切欠き（６）内で解離するための案内移動領域（９）と、
−係止手段（４）と切欠き（６）とを抵抗無く分離するための開放領域（８）とを有していることを特徴とする、フィルタ。
【請求項２】
少なくとも１つの係止手段（４）がフィルタエレメント（３）に配置されている、請求項１記載のフィルタ。
【請求項３】
少なくとも１つの係止手段（４）が少なくとも１つのケーシング部分（２）に配置されている、請求項１または２記載のフィルタ。
【請求項４】
係止手段（４）に対応する少なくとも１つの切欠き（６）が、少なくとも１つのケーシング部分（２）に配置されている、請求項１から３までのいずれか１項記載のフィルタ。
【請求項５】
係止手段（４）に対応する少なくとも１つの切欠き（６）が、フィルタエレメント（３）に配置されている、請求項１から４までのいずれか１項記載のフィルタ。
【請求項６】
フィルタであって、少なくとも２つのケーシング部分（２）から成っているケーシング（１）と、このケーシング（１）内に固定されているフィルタエレメント（３）とを有しており、少なくとも１つの係止手段（４）が設けられていて、この係止手段（４）を用いて、フィルタエレメント（３）と少なくとも１つのケーシング部分（２）との間に解除可能な係止結合部（５）が形成可能であり、係止手段（４）の領域にスリーブ（１２）が配置されている形式のものにおいて、
スリーブ（１２）および／または、結合部を形成するために必要とされるケーシング半部（２）が以下の領域：すなわち
−係止手段（４）を前記ケーシング部分（２）内に固定するための戻り抑え領域（１０）と、
−前記ケーシング部分（２）およびスリーブ（１２）内に収容されている間隔減少エレメント（１４，１５）と、
−前記ケーシング部分（２）をねじり開ける際に間隔減少エレメント（１４，１５）を互いに上下に位置決めするためのストッパと、
−間隔減少エレメント（１４，１５）が互いに上下に位置決めされた場合に係止手段（４）を係止し、またフィルタエレメント（３）と前記ケーシング部分（２）とを抵抗無く分離するためのロック解除領域（１１）とを有していることを特徴とする、フィルタ。
【発明の詳細な説明】
本発明は、フィルタもしくはフィルタエレメントに関するものである。
このような形式のフィルタもしくはフィルタエレメントは、たとえばドイツ連邦共和国実用新案第２９６１６８３４号明細書に基づき公知であり、この公知の明細書においてはフィルタ挿入体が示されており、このフィルタ挿入体の両方の端面が、それぞれ１つの端面ディスクと密に結合されており、この場合に１つのまたは両方の端面ディスクは、それぞれ１つの貫通孔を有しており、この貫通孔の縁部領域にはそれぞれ１つのリング状のシール部材が配備されており、このシール部材は、フィルタ挿入体が組み込まれた状態においては、フィルタケーシングの一部分と密に協働しており、この場合に少なくとも一方の端面ディスクには、この端面ディスクの平面から軸方向外側で間隔を保って配備されたカラー状の引き出しグリップが形成されており、この引き出しグリップの外径は、端面ディスクの外径よりも小さい。
さらにこのような形式のフィルタ挿入体は、ヨーロッパ特許出願公開第０７１１５８７号明細書に基づき公知であり、この公知の明細書においては同様に、フィルタ挿入体の端面にカラー状の隆起部が示されており、この隆起部を用いてフィルタ挿入体をケーシングから取り外すことが可能である。
さらにドイツ連邦共和国特許出願公開第４３３３１５１号明細書に基づき、筆記具のための先端付近のロック機構が公知であり、この筆記具では３つのスリーブ部分、すなわちセンタリングスリーブ、グリップスリーブ、および内側スリーブが入れ子式に組み合わせられており、この場合に前方の回転支承部が設けられており、この回転支承部は、グリップスリーブとセンタリングスリーブとの間に配備されており、かつ中心スリーブの後方の端部領域と、軸方向で固定され回動不能な内側スリーブとの間に、回転作動する係止兼係止解除機構を形成しており、この場合にグリップスリーブは内側スリーブの外側で軸方向に摺動可能である。
このような形式のフィルタもしくはフィルタエレメントを、フィルタエレメントと直接接触することなくケーシングから取り出し可能であるように組み込もうとすると、前述のカラー状に構成されたグリップ部材がフィルタエレメントに直接配備されているので、フィルタエレメントとの直接的な接触を回避することができないという欠点がある。したがってカラー状の構成体の領域においてフィルタエレメントにトング状に作用する付加的な装置を設けることも可能である。しかしながらこのような構成は、フィルタエレメントとの直接的な接触を回避するために、さらに高価な装置を提供しなければならないという欠点を有している。
したがって本発明の課題は、冒頭で述べた形式のフィルタもしくはフィルタエレメントをさらに改良して、フィルタエレメントと直接接触することなく常に確実な運転を維持しながらフィルタエレメントの取り付け、もしくは取り外しをより簡単にできるようなフィルタもしくはフィルタエレメントを提供することである。
本発明に基づきこの課題は、少なくとも２つのケーシング部分から成っているケーシングと、このケーシング内に固定されているフィルタエレメントとを有しており、この場合に少なくとも１つの係止手段が設けられていて、この係止手段を用いて、フィルタエレメントと少なくとも１つのケーシング部分との間に解除可能な係止結合部が形成可能であるフィルタによって解決される。このような解決策の利点は、フィルタカートリッジをフィルタケーシング内に簡単に組み込むことができ、しかもカートリッジが規定されてケーシングに解離可能に固定されていることによって、場合によっては使用後の汚染されたカートリッジと直接接触することなしに、カートリッジをケーシングから取り外すことができるということである。
本発明の有利な変化実施例では、少なくとも１つの係止手段が、この係止手段に対応する少なくとも１つの切欠きに係合しており、この切欠き内でバヨネット状に係止されている。このことは、たとえば係止突子が、確実ではあるが解離可能な結合部を生ぜしめることができるような規定された箇所が提供されるという利点を有している。
別の有利な変化実施例では、少なくとも１つの係止手段が、フィルタエレメントに配置されている。フィルタエレメントに配備された係止手段は、解離可能な係止結合部を形成するために、ケーシングの、この係止手段に対応する凹設部に弾性的に係合する。
さらに本発明においては、少なくとも１つの係止手段が、少なくとも１つのケーシング部分に配置されている。動的な反転の意味で係止手段をケーシングにも配備することができる。
本発明の有利な変化実施例では、係止手段に対応する少なくとも１つの切欠きが少なくとも１つのケーシング部分に配置されている。これらの切欠きは、係止もしくは係止解除が規定して行われるということを保証しており、特にフィルタエレメントをケーシングから取り外そうとする場合の係止解除に関して保証している。この場合にはフィルタエレメントが軸方向に運動し、しかも軸方向の運動が回転運動に変化することによって、フィルタエレメントが切欠きの内部において所定のポジションに達し、このポジションにおいて本来フィルタエレメントに作用せしめられた運動とは逆に、このフィルタエレメントをケーシングから取り外すことができる。
別の有利な変化実施例では、係止手段に対応する少なくとも１つの切欠きがフィルタエレメントに配置されている。動的な反転の意味で係止手段をケーシングにも配備することができる。
さらに本発明においては、切欠きが、閉鎖領域、開放領域、案内移動領域、戻り抑え領域およびロック解除領域を有している。この場合切欠きは次のように、すなわちフィルタエレメントがケーシング部分に係止された後で、係止エレメントとそれに対応する切欠きの閉鎖領域との協働時に、フィルタエレメントをケーシング内において確実に案内するために働く領域が、存在するように構成されており、この場合ケーシング内におけるフィルタエレメントの確実な案内はケーシングが閉鎖されるまで続く。切欠きの開放領域は、フィルタエレメントを妨げることなく取り外すために働き、これによって１つのまたは複数の係止部材を機械的な抵抗なしにケーシング半部から取り外すことができる。切欠きの案内移動領域は、軸方向の運動を回転運動に変化させるために働く。この案内移動領域は、円筒状の周面に配置されたわずかに傾斜する平面に相応している。切欠きの戻り抑え領域は、ケーシングの開放時に、関連する係止手段を用いてフィルタエレメントを固定しているので、このフィルタエレメントはケーシング部分に結合されている。
本発明に基づき課題は、少なくとも２つのケーシング部分から成っているケーシングと、このケーシング内に固定されているフィルタエレメントとを有しており、この場合に少なくとも１つの係止手段が設けられていて、この係止手段を用いて、フィルタエレメントと少なくとも１つのケーシング部分との間に解除可能な係止結合部が形成可能であり、この場合に係止手段の領域にスリーブが配置されているフィルタによって解決される。
本発明の有利な変化実施例では、スリーブが、閉鎖領域、開放領域、案内移動領域、戻り抑え領域およびロック解除領域を有している。種々異なった形式の機能領域をスリーブにも配備することができ、このスリーブは、たとえばドイツ連邦共和国特許出願公開第４３３３１５１号明細書に説明されているようなボールペン係止機構と比較可能に、ケーシング半部と協働して作用する。
本発明に基づき課題は、解離可能な係止結合部を形成するための手段を備えた、フィルタにおいて使用されるフィルタエレメントによって解決される。
本発明の有利な変化実施例による前記のおよびその他の特徴は、請求項、実施例の説明および図面から明らかであり、この場合に個々の特徴は、本発明の実施例における従属請求項の形式で、およびその他の分野において単独にまたは多岐にわたって説明されていて、かつ有利な実施例ならびにそれ自体保護可能な実施例を示すことができ、これらの実施例のためにここでは保護が要求される。
本発明の実施例は、図面に示されており、以下に詳説される。
図１ａにはフィルタの断面図が示されており、図１ｂには、図１ａに示されているケーシングカバーの断面図が示されており、図１ｃにはケーシングカバーにおける切欠きの形状の展開図が示されており、図２ａには第２の変化実施例によるフィルタの断面図が示されており、図２ｂには図２ａのフィルタエレメントの断面図が示されており、図３ａ〜図３ｄには第３の変化実施例によるフィルタの断面図が示されている。
図１ａにはフィルタの断面図が示されていて、このフィルタはケーシング１を有しており、このケーシング１自体は、螺合される２つのケーシング部分２から成っている。フィルタもしくはこのフィルタのケーシング１は、流体のための入口および出口（図示せず）の他に中空円筒状のフィルタエレメント３を有しており、このフィルタエレメント３の端面には係止手段４が設けられていて、これらの係止手段４は、フィルタエレメント３とケーシング部分２、特にケーシング１のカバーとの係止結合部５のために役立っている。フィルタエレメント３は、本実施例においては２つの取り付けポジションが図示されており、左側の取り付けポジションは取り付け終了前の状況を示す予取り付けポジションであり、右側の取り付けポジションは取り付け終了後の状況を示す最終取り付けポジションである。確実な係止結合部５を生ぜしめるために、ケーシング１のケーシング部分２のカバーの領域には切欠き６が配備されている。この切欠き６は、係止結合部５の形成もしくはロック解除に必要な種々異なった機能領域を有している。これらの機能領域は個々に、閉鎖、開放、案内移動、戻り抑え、および出口の領域で構成されている。
フィルタエレメント３は、シール部材１６を用いて受容部１７に固定され、濾過済み流体側を未濾過流体側からシールしている。フィルタエレメント３の取り付けは、２種類の形式で行うことができる。１つの可能性として、フィルタ挿入体３を受容部１７に差し込み、次いでねじ山１８を用いてフィルタを第２のケーシング部分と接合させる方法がある。この場合に第２のケーシング部分は、ねじ締めをする際に、ケーシング内に位置しているフィルタ挿入体３の方向へ移動する。この場合に係止手段４は、上側のケーシング部分２がこの係止手段４に向かって徐々に移動する際に、半径方向内側に向かって張り出した戻り抑え領域１０を克服しなければならず、これを克服するために上側のケーシング部分２を長手方向の移動と同時に回転させると、本実施例において周囲に規則的に分配配置された４つの係止手段４もしくはこれらの係止手段に対応する４つの切欠き６を設けることによって、係止手段４は遅くともカバーの１／４回転後にはこの係止手段４のために設けられた切欠き６内へ突入し、この切欠き６と共に逆向きの開放時に確実な係止結合部５を形成することができる。もう１つの取り付け方法として、フィルタ挿入体３を切欠き６を備えたケーシング１のカバー部分に直接差し込むことにより、フィルタエレメント３とケーシング部分２との間で係止結合部５を生ぜしめる方法が提案されている。この場合には次いで互いに結合された部分を手によって下側のケーシング部分２に、もしくはこの下側のケーシング部分２の受容部１７に差し込むことができる。次いで両方のケーシング部分２はねじ山１８を用いて互いに結合される。
図１ｂには図１ａの、カバーもしくはケーシング部分２の領域が断面図で示されている。この図１ｂから明らかなように、切欠き６は種々異なった機能領域を有している。この図１ｂには案内移動領域９と戻り抑え領域１０とが示されている。
図１ｃには、すでに図１ｂに示されたケーシング部分２の領域が展開図で示されている。この場合に円筒状の周面の全周には、規則的な間隔で配置された４つの切欠き６を見ることができる。それぞれの切欠き６は、平面展開図において数字の１が押しつぶされた形を有している。それぞれの切欠き６は、所定の機能領域に分割されている。つまり両方のケーシング部分２が互いに螺合すると、係止手段４が切欠き６の閉鎖領域７に接触する。切欠き６の戻り抑え領域１０は、フィルタ挿入体３を取り外す時に、このフィルタ挿入体３を、切欠き６を備えたケーシング部分２のカバー半部の位置にとどめておくための役割を有しており、これによって両方の部分を片手で取り外すことができる。つまりもう一方の手を用いる必要なしに、フィルタエレメント３を切欠き６を備えたケーシング部分２から分離するために、切欠き６内には案内移動領域９が設けられていて、この案内移動領域９は、上側の水平なケーシング部分制限部に対して３０°の角度または３０°〜９０°の角度を有している。切欠き６内に案内移動部分９を設けることによって、たとえばケーシング軸線もしくはフィルタエレメント軸線に沿って急激に作用せしめられる鉛直運動によってフィルタエレメント３とケーシング部分２との間もしくは係止手段４と切欠き６との間の相対回転運動を生ぜしめることができる。たとえばフィルタエレメント３の内側縁部を鉛直方向で上側に衝突させることによって、またはフィルタエレメント３をケーシング部分２に対して単に回転させることによって生ぜしめられるようなこの相対運動により、係止手段４は切欠き６の開放領域８へ達する。切欠き６の開放領域８では戻り抑え領域１０が中断されているので、フィルタエレメント３はこのフィルタエレメント３の係止手段４と共に抵抗なしに、切欠き６を有しているケーシング部分２から脱落する。
図１ｄには、さらに特徴づけられた戻り抑え領域１０を備えた切欠き６の変化実施例が示されている。同様に係止手段４が、一点鎖線を用いて示されている。さらに切欠き６は、閉鎖領域７ならびに開放領域８および案内移動領域９を有している。
図２ａには２つの変化実施例が示されており、変化実施例Ｉにはカートリッジ取り付け状況が示されており、変化実施例ＩＩにはカートリッジ取り外し状況が示されている。図示されたフィルタの断面図においては、このフィルタがケーシング１を有しており、このケーシング１自体が、ケーシング部分２から成り、かつフィルタエレメント３を内部に有していて、ケーシング部分螺合部の図示は省略されている。なぜならばこの螺合部は、前に説明した図で見ることができるからである。この図２ａには係止手段４が、たとえばスリーブ１２およびケーシング部分２に配置されている切欠き６のような、係止手段４に関連するエレメントを備えた解離可能な係止結合部５をどのように生ぜしめるかが示されている。変化実施例Ｉに示された形式においては、フィルタエレメント３が、このフィルタエレメント３に取り付けられたスリーブ１２と共にケーシング部分２内へ差し込まれた後に、係止結合部５が生ぜしめられ、この係止結合部５はフィルタエレメント３の戻りを確実にケーシング部分２内で抑止しており、この係止結合部５に対しては、戻り抑え領域１０に基づいて係止手段４を、変化実施例Ｉに示されているように位置決めすることが重要である。変化実施例ＩＩでは、係止結合部５の解離が明確に図示されており、この場合に係止手段４は、半径方向内側に向かって位置決めされたポジションへ移動され、この場合に係止手段はこのポジションでは、この係止手段４の上方もしくは周囲に設けられているスリーブ１２内に配置されたロック解除領域１１において固定されている。係止手段４をこのロック解除領域１１に移動させるためには、スリーブ１２をフィルタエレメント３の長手方向軸線に基づき、この長手方向軸線に沿ってフィルタエレメント３の方向に移動させなければならない。つまりこの移動は、係止部材４をロック解除領域１１内にスナップ式に進入することができるまで行われる。この係止結合解除は、スリーブ１２の間隔減少エレメント１３と、ケーシング部分２の間隔減少エレメント１４とが軸方向で互いに上下に位置している場合には、ケーシング部分２をこのケーシング部分２自体の長手方向軸線に沿ってフィルタエレメント３に向かって軸方向で移動させることによって可能である。ケーシング部分２をねじり開ける際の間隔減少エレメント１３，１４相互のこの位置決めは、周方向におけるこれらの間隔減少エレメント１３，１４の当接によって実現されることができる。つまりこのように係止部材４がロック解除領域１１内で係止されていると、フィルタエレメント３を戻り抑え領域１０を通過させてケーシング部分２から抵抗なしに取り出すことができる。フィルタエレメント３を取り付ける場合には、センタリングスペーサピン１５が押圧エレメントとして働く。
図２ｂにはフィルタエレメント３が示されており、このフィルタエレメント３は、その一方の端面に半径方向で弾性的に作用する係止手段４を有している。同じ端面には、フィルタエレメント３の長手方向でセンタリングスペーサピン１５が配備されていて、このセンタリングスペーサピン１５は、図２ａにおいて説明された原理の択一的な反転、すなわちフィルタエレメント３への配備を示している。これは同様に係止手段４の配置に関しても可能である。なぜならば動的な反転の意味でこの係止手段４をケーシング部分２に固定することもできるからである。係止手段４の周囲および上方にスリーブ１２が被せはめられていて、このスリーブ１２の切欠き６内には係止手段４が収容されているか、もしくはこのスリーブ１２の仮想の周面を越えて半径方向外側へ突出している。スリーブ端面の外側には、間隔減少エレメント１３が配置されていて、この間隔減少エレメント１３は上述のように係止結合部５の解離に役立っている。
図３ａ〜図３ｄには種々異なった変化実施例が示されており、この場合に図３ａ〜図３ｃの変化実施例には、確実に係止結合されている場合のカートリッジ取り付け状況が示されており、図３ｄの変化実施例には、フィルタエレメント３を抵抗なしに簡単に取り外すことができるカートリッジ取り外し状況が示されている。図３ａ〜図３ｃに示されたフィルタの断面図においては、このフィルタがケーシング１を有しており、このケーシング１自体が、ケーシング部分２から成り、かつフィルタエレメント３を内部に有していて、さらに、たとえばスリーブ１２またはケーシング部分２に配置されている切欠き６のような、係止手段４に関連するエレメントを備えた、この係止手段によって生ぜしめられた解離可能な係止結合部５が示されている。図３ａに示された形式においては、フィルタエレメント３がケーシング部分２内へ差し込まれた後に係止結合部５が生ぜしめられ、この係止結合部５はフィルタエレメント３の戻りを確実にケーシング部分２内で抑止しており、この係止結合部５に対しては、戻り抑え領域１０に基づいて係止手段４を、この変化実施例に示されているように位置決めすることが重要である。間隔減少エレメント１３，１４を、図３ａ〜図３ｃにおいて互いに軸方向で直接接触することがないように配置することによって、ケーシング１のどの位置においても係止結合部５がカートリッジに対する引っ張り力によって解離されることがないということが結果的に明らかであり、この場合にセンタリングスペーサピン１５はケーシング１の運動の自由を制限している。
図３ｄでは、係止結合部５の解離が明確に図示されており、この場合に係止手段４は、半径方向内側に向かって位置決めされたポジションへ移動され、この場合に係止手段はこのポジションでは、この係止手段４の上方もしくは周囲に設けられているスリーブ１２内に配置されたロック解除領域１１において固定されている。係止手段４をこのロック解除領域１１に移動させるためには、スリーブ１２をフィルタエレメント３の長手方向軸線に基づき、この長手方向軸線に沿ってフィルタエレメント３の方向に移動させなければならない。つまりこの移動は、係止部材４をロック解除領域１１内にスナップ式に進入することができるまで行われる。この係止結合解除は、スリーブ１２の間隔減少エレメント１３と、ケーシング部分２の間隔減少エレメント１４とが軸方向で互いに上下に位置している場合には、ケーシング部分２をこのケーシング部分２自体の長手方向軸線に沿ってフィルタエレメント３に向かって軸方向で移動させることによって可能である。ケーシング部分２をねじり開ける際の間隔減少エレメント１３，１４相互のこの位置決めは、周方向におけるこれらの間隔減少エレメント１３，１４の当接によって実現されることができる。つまりこのように係止部材４がロック解除領域１１内で係止されていると、フィルタエレメント３を戻り抑え領域１０を通過させてケーシング部分２から抵抗なしに取り出すことができる。取り付けの際に押圧エレメントとして働くセンタリングスペーサピン１５の機能は、戻り抑え領域１０のフック縁部、もしくは係止手段４によって引き受けられることができる。
【図１ａ】
0004017675.tif 000002
【図１ｂ】
0004017675.tif 000003
【図１ｄ】
0004017675.tif 000004
【図１ｃ】
0004017675.tif 000005
【図２ａ】
0004017675.tif 000006
【図２ｂ】
0004017675.tif 000007
【図３ａ】
0004017675.tif 000008
【図３ｂ】
0004017675.tif 000009
【図３ｃ】
0004017675.tif 000010
【図３ｄ】
0004017675.tif 000011